(57)【要約】【課題】  管理装置が判断する払い出した遊技媒体の数の誤差を少なくする。【解決手段】  パチンコ機では、払い出す遊技球（賞球数）を賞球カウンタがカウントする。賞球カウンタのカウント値が［５］になった際には、払出制御部がホールコンピュータへ賞球情報を出力することで、ホールコンピュータがパチンコ機の賞球数を［１０］と判断すると共に、賞球カウンタのカウント値が［−５］される。さらに、賞球カウンタのカウント値が［１０］になる毎に、払出制御部がホールコンピュータへ賞球情報を出力することで、ホールコンピュータがパチンコ機の賞球数を従前の数に［＋１０］した数と判断すると共に、賞球カウンタのカウント値が［−１０］される。このため、ホールコンピュータが判断するパチンコ機の賞球数は、実際のパチンコ機の賞球数に対して、［＋５］乃至［−４］の誤差を生じるため、誤差を少なくできる。【選択図】    図１
2005177122.tif 000002
【特許請求の範囲】
【請求項１】
遊技の賞に伴い遊技媒体を払い出す払出手段と、
前記払出手段を制御する払出制御手段と、
前記払出手段が払い出す前記遊技媒体を検出すると共に前記遊技媒体を検出する毎に検出信号を出力する払出検出手段と、
前記払出検出手段から入力される前記検出信号を計数する計数手段と、
電源投入後、前記計数手段の計数開始時以降前記計数手段が前記検出信号を２以上の第１所定数計数した際に管理装置へ信号を出力すると共に、前回の信号出力後前記計数手段が前記検出信号を第１所定数より大きい第２所定数計数する毎に前記管理装置へ前記信号を出力する外部出力手段と、
を備えた遊技機。
【請求項２】
第１所定数をｍとし、第２所定数をｎとするとき、
ｎが奇数の際には、
ｍ＝（ｎ＋１）／２
にし、
ｎが偶数の際には、
ｍ＝｛（ｎ＋１）／２｝±１／２
にした、
ことを特徴とする請求項１記載の遊技機。
【発明の詳細な説明】
【技術分野】
【０００１】
本発明は、遊技の賞に伴い払い出した遊技媒体の数についての信号を出力する遊技機に関する。
【背景技術】
【０００２】
パチンコ機としては、払い出す（排出する）賞品球を賞品球カウントスイッチがカウントし、賞品球カウンタの値に応じて、信号を管理コンピュータへ出力するものがある（例えば、特許文献１参照）。
【０００３】
このパチンコ機では、賞品球カウンタの値が［１０］になったか否かを判断し、賞品球カウンタの値が［１０］になったと判断した場合には、信号を管理コンピュータへ出力すると共に、賞球カウンタの値を［−１０］する。これにより、管理コンピュータにおいては、信号が入力される毎に［１０］ずつ加算した数を、パチンコ機が払い出した賞品球数と判断する構成である。
【０００４】
しかしながら、このパチンコ機では、賞品球カウンタの値が［１０］未満の場合において、管理コンピュータが判断するパチンコ機が払い出した賞品球数（以下「判断賞品球数」という）が、実際にパチンコ機が払い出した賞品球数（以下「実際賞品球数」という）に対して、［−１］乃至［−９］の誤差を生じて、最大で［−９］かつ平均で［−４．５］の誤差を生じ、判断賞品球数の誤差が多くなるという問題がある。
【０００５】
このため、例えばパチンコ機が１００台設置された遊技場では、パチンコ機全体における判断賞品球数の実際賞品球数に対する誤差が、最大で［−９００］になるのみならず、平均でも［−４５０］となり、多くなる。
【特許文献１】特許第３０５４７１４号公報
【発明の開示】
【発明が解決しようとする課題】
【０００６】
本発明は、上記事実を考慮し、管理装置が判断する払い出した遊技媒体の数の誤差を少なくできる遊技機を得ることが目的である。
【課題を解決するための手段】
【０００７】
請求項１に記載の遊技機は、遊技の賞に伴い遊技媒体を払い出す払出手段と、前記払出手段を制御する払出制御手段と、前記払出手段が払い出す前記遊技媒体を検出すると共に前記遊技媒体を検出する毎に検出信号を出力する払出検出手段と、前記払出検出手段から入力される前記検出信号を計数する計数手段と、電源投入後、前記計数手段の計数開始時以降前記計数手段が前記検出信号を２以上の第１所定数計数した際に管理装置へ信号を出力すると共に、前回の信号出力後前記計数手段が前記検出信号を第１所定数より大きい第２所定数計数する毎に前記管理装置へ前記信号を出力する外部出力手段と、を備えている。
【０００８】
請求項２に記載の遊技機は、請求項１に記載の遊技機において、第１所定数をｍとし、第２所定数をｎとするとき、ｎが奇数の際には、ｍ＝（ｎ＋１）／２にし、ｎが偶数の際には、ｍ＝｛（ｎ＋１）／２｝±１／２にした、ことを特徴としている。
【発明の効果】
【０００９】
請求項１に記載の遊技機では、遊技の賞に伴い、払出手段が払出制御手段の制御によって遊技媒体を払い出す。また、払出手段が払い出す遊技媒体を払出検出手段が検出すると共に、払出検出手段が遊技媒体を検出する毎に検出信号を出力し、さらに、計数手段が払出検出手段から入力される検出信号を計数する。
【００１０】
ここで、遊技機の電源投入後には、計数手段の計数開始時以降計数手段が検出信号を２以上第２所定数未満の第１所定数計数した際に、外部出力手段から管理装置へ信号が出力されると共に、この初回の外部出力手段からの信号出力後には、前回の外部出力手段からの信号出力後計数手段が検出信号を第２所定数計数する毎に、外部出力手段から管理装置へ信号が出力される。
【００１１】
このため、管理装置が、外部出力手段から信号が入力される毎に第２所定数ずつ加算した数を、払出手段が払い出した遊技媒体の数と判断する場合には、管理装置が判断する当該遊技媒体の数（以下「判断数」という）が、実際の当該遊技媒体の数（以下「実際数」という）に対して、マイナスの誤差とプラスの誤差とを生じる。このため、判断数の実際数に対する最大誤差及び平均誤差を少なくすることができ、判断数の実際数に対する誤差を少なくすることができる。
【００１２】
請求項２に記載の遊技機では、第１所定数をｍとし、第２所定数をｎとするとき、ｎが奇数の際には、ｍ＝（ｎ＋１）／２にされる一方、ｎが偶数の際には、ｍ＝｛（ｎ＋１）／２｝±１／２にされているため、判断数の実際数に対する最大誤差及び平均誤差を最大限少なくすることができ、判断数の実際数に対する誤差を最大限少なくすることができる。
【発明を実施するための最良の形態】
【００１３】
図３には、本発明の実施の形態に係る遊技機としてのパチンコ機１０の主要部がブロック図にて示されている。
【００１４】
本実施の形態に係るパチンコ機１０は、主制御部１４を備えている。主制御部１４には、複数種類の入賞口１６が電気的に接続されており、各入賞口１６はパチンコ機１０の遊技盤（図示省略）に設けられている。
【００１５】
主制御部１４には、払出制御手段としての払出制御部１８が電気的に接続されている。払出制御部１８のＣＰＵには、払出カウンタ（図示省略）と、計数手段としての賞球カウンタ（図示省略）と、が設けられており、払出カウンタ及び賞球カウンタのカウント値は［０］にされている。
【００１６】
払出制御部１８は、払出手段としての払出装置２０と、払出検出手段としての賞球カウントスイッチ２２と、に電気的に接続されており、払出装置２０及び賞球カウントスイッチ２２は、誘導路２４に、払出装置２０が賞球カウントスイッチ２２より上流側に配置された状態で、設けられている。誘導路２４には上流側から遊技媒体としての遊技球２６（賞球）が供給されると共に、誘導路２４の下流側はパチンコ機１０の受皿（図示省略）に接続されており、誘導路２４に供給される遊技球２６は、払出装置２０によって誘導路２４を流下することを阻止されている。
【００１７】
払出制御部１８は、外部出力手段としての端子ユニット２８を介して、管理装置としてのホールコンピュータ３０（管理コンピュータ）に電気的に接続されており、ホールコンピュータ３０は、パチンコ機１０が設置される遊技場（ホール）に設置されている。
【００１８】
主制御部１４及び払出制御部１８等は、電源ユニット３２に電気的に接続されており、パチンコ機１０の電源が投入された際には、電源ユニット３２が主制御部１４及び払出制御部１８等に電力を供給する。
【００１９】
ここで、パチンコ機１０の遊技盤上を落下する遊技球２６の入賞口１６への入賞（遊技の賞）に伴い、当該入賞口１６への遊技球２６の入賞が検出されて、当該入賞口１６の種類に応じた検出情報が主制御部１４へ出力されることで、当該入賞口１６の種類に応じて予め定められた賞球数に関する賞球数情報が主制御部１４から払出制御部１８へ出力される。これにより、払出制御部１８の制御によって払出装置２０が駆動されることで、払出装置２０が遊技球２６を誘導路２４の下流側へ流下させて、遊技球２６が誘導路２４を介してパチンコ機１０の受皿へ払い出される（排出される）。
【００２０】
この際、誘導路２４を払出装置２０より下流側へ流下して受皿へ払い出される遊技球２６が賞球カウントスイッチ２２を通過する毎に、賞球カウントスイッチ２２がＯＮされて遊技球２６を検出することで、賞球カウントスイッチ２２が払出制御部１８内の払出カウンタへ検出信号を出力して、払出カウンタのカウント値が［＋１］される（払出カウンタが当該検出信号をカウント（計数）する）。さらに、遊技球２６が入賞した入賞口１６の種類に応じた賞球数（前記賞球数情報による賞球数）に払出カウンタのカウント値がなった際には、払出制御部１８の制御によって払出装置２０による遊技球２６の誘導路２４下流側への流下が終了される。これにより、遊技球２６が入賞した入賞口１６の種類に応じた賞球数の遊技球２６が受皿へ払い出されると共に、払出カウンタのカウント値が［０］に戻される。
【００２１】
また、パチンコ機１０の電源が投入された後、誘導路２４を払出装置２０より下流側へ流下して受皿へ払い出される遊技球２６が賞球カウントスイッチ２２を通過する毎に、賞球カウントスイッチ２２がＯＮされて遊技球２６を検出することで、賞球カウントスイッチ２２が払出制御部１８内の賞球カウンタへ検出信号を出力して、賞球カウンタのカウント値が［＋１］される（賞球カウンタが当該検出信号をカウント（計数）する）。賞球カウンタのカウント値が［５］（予め賞球カウンタにセットされた初期値（第１所定数））になった際には、払出制御部１８が端子ユニット２８からホールコンピュータ３０へ１パルスの賞球情報（信号）を出力すると共に、賞球カウンタのカウント値が［−５］される（［０］に戻される）。さらにその後には、賞球カウンタのカウント値が［１０］（第２所定数）になる毎に、払出制御部１８が端子ユニット２８からホールコンピュータ３０へ１パルスの賞球情報を出力すると共に、賞球カウンタのカウント値が［−１０］される（［０］に戻される）。
【００２２】
ホールコンピュータ３０では、払出制御部１８から賞球情報が入力される毎に［１０］ずつ増加させた数を、パチンコ機１０の電源投入後の賞球数（受皿への遊技球２６の払出数）と、判断する構成である。
【００２３】
次に、本実施の形態の作用を説明する。
【００２４】
本実施の形態に係るパチンコ機１０では、遊技盤上を落下する遊技球２６の入賞口１６への入賞に伴い、払出制御部１８の制御によって、払出装置２０が遊技球２６（賞球）を誘導路２４の下流側へ流下させて受皿へ払い出す。また、払出装置２０が受皿へ払い出す遊技球２６を、遊技球２６が誘導路２４を下流側へ流下する際に、賞球カウントスイッチ２２が検出する。これにより、賞球カウントスイッチ２２が遊技球２６を検出する毎に検出信号を出力し、払出制御部１８内の払出カウンタ及び賞球カウンタが賞球カウントスイッチ２２から入力される検出信号をカウントする。
【００２５】
ここで、遊技球２６の受皿への払出処理（賞球処理）は、図２に示すフローチャートに従って、行われる。
【００２６】
すなわち、先ずステップ１００において、遊技盤上を落下する遊技球２６の入賞口１６への入賞が入賞口１６において検出されたか否かが判断される。
【００２７】
ステップ１００において遊技球２６の入賞口１６への入賞が入賞口１６において検出されたと判断された際には、ステップ１０２において、賞球カウントスイッチ２２が遊技球２６を検出する毎に［＋１］される払出カウンタのカウント値が、遊技球２６が入賞した入賞口１６の種類に応じた賞球数になるまで、払出装置２０が遊技球２６を誘導路２４の下流側へ流下させて受皿へ払い出す。これにより、遊技球２６が入賞した入賞口１６の種類に応じた賞球数の遊技球２６が受皿へ払い出されると共に、払出カウンタのカウント値が［０］に戻される。一方、ステップ１００において遊技球２６の入賞口１６への入賞が入賞口１６において検出されていないと判断された際には、払出装置２０が遊技球２６を誘導路２４の下流側へ流下させず、遊技球２６は受皿へ払い出されない。
【００２８】
また、パチンコ機１０の電源投入後の賞球数（受皿への遊技球２６の払出数）出力処理は、図１に示すフローチャートに従って、行われる。
【００２９】
すなわち、先ずステップ１５０において、賞球カウンタに初期値［５］がセットされる。次に、ステップ１５２において、パチンコ機１０の電源投入後賞球カウントスイッチ２２が遊技球２６を検出する毎に［＋１］される賞球カウンタのカウント値が、［５］以上になったか否かが判断される。ステップ１５２において賞球カウンタのカウント値が［５］以上になっていないと判断された際には、ステップ１５２に戻される。
【００３０】
ステップ１５２において賞球カウンタのカウント値が［５］以上になったと判断された際には、ステップ１５４において、払出制御部１８が端子ユニット２８からホールコンピュータ３０へ賞球情報を出力することで、ホールコンピュータ３０がパチンコ機１０の電源投入後の賞球数を［１０］と判断する。その後、ステップ１５６において、賞球カウンタのカウント値が［−５］される（［０］に戻される）。
【００３１】
このように、パチンコ機１０の電源投入後の端子ユニット２８からホールコンピュータ３０への賞球情報の出力は、初回には、賞球カウンタのカウント値が［５］になった際に行うと共に、２回目以降には、賞球カウンタのカウント値が［１０］になる毎に行う。しかも、初回に払出制御部１８が賞球情報を出力する際の賞球カウンタのカウント値［５］は、２回目以降に払出制御部１８が賞球情報を出力する際の賞球カウンタのカウント値［１０］の１／２にされている。
【００３２】
このため、図５（Ｂ）に示す如く、ホールコンピュータ３０が判断するパチンコ機１０の電源投入後の賞球数（以下「判断賞球数」という）は、実際のパチンコ機１０の電源投入後の賞球数（以下「実際賞球数」という）に対して、［＋５］乃至［−４］の誤差（マイナスの誤差とプラスの誤差と）を生じる。このため、判断賞球数の実際賞球数に対する最大誤差（［＋５］）及び平均誤差（［＋０．５］）を最大限少なくすることができ、判断賞球数の実際賞球数に対する誤差を最大限少なくすることができる（［０］に近づけることができる）。
【００３３】
これにより、例えばパチンコ機１０が１００台設置された遊技場では、パチンコ機１０全体における判断賞品球数の実際賞品球数に対する誤差が、［＋５００］乃至［−４００］になるのみならず、平均でも［５０］となり、最大限少なくすることができる。このため、遊技場にとって有益な売上及び利益等のデータ管理の精度を向上させることができる。
【００３４】
なお、本実施の形態では、図５（Ｂ）に示す如く、初回に払出制御部１８が賞球情報を出力する際の賞球カウンタのカウント値（第１所定数）を［５］にした構成としたが、例えば図４の（Ｂ）及び（Ｃ）、図５の（Ａ）及び（Ｃ）、図６の（Ａ）乃至（Ｃ）に示す如く、第１所定数を［２］乃至［４］及び［６］乃至［９］にした構成としてもよい。この場合にも、判断賞球数が実際賞球数に対してマイナスの誤差とプラスの誤差とを生じるため、判断賞球数の実際賞球数に対する最大誤差及び平均誤差を少なくすることができ、判断賞球数の実際賞球数に対する誤差を少なくすることができる（第１所定数が［６］の際には判断賞球数の実際賞球数に対する誤差を最大限少なくすることができる）。
【００３５】
但し、図４（Ａ）に示す如く、初回に払出制御部が賞球情報を出力する際の賞球カウンタのカウント値を［１］にした構成では、判断賞球数が実際賞球数に対してプラスの誤差のみを生じるため、本発明に含まれず、判断賞球数の実際賞球数に対する誤差を少なくすることができない。
【００３６】
さらに、本実施の形態では、２回目以降に払出制御部１８が賞球情報を出力する際の賞球カウンタのカウント値（第２所定数）を［１０］にした構成としたが、第２所定数は、３以上にした構成であればよい。この場合、第１所定数は２以上第２所定数未満であればよい。さらに、第１所定数をｍとし、第２所定数をｎとするとき、ｎが奇数の際には、ｍ＝（ｎ＋１）／２にするのが好ましい一方、ｎが偶数の際には、ｍ＝｛（ｎ＋１）／２｝±１／２にするのが好ましい。
【００３７】
また、本実施の形態では、本発明の遊技機をパチンコ機１０にした構成としたが、本発明の遊技機をパチンコ機以外の他の遊技機（例えばスロットマシーン）にした構成としてもよい。
【図面の簡単な説明】
【００３８】
【図１】本発明の実施の形態に係るパチンコ機の賞球数の出力処理手順を示すフローチャートである。
【図２】本発明の実施の形態に係るパチンコ機の賞球処理手順を示すフローチャートである。
【図３】本発明の実施の形態に係るパチンコ機の主要部を示すブロック図である。
【図４】（Ａ）乃至（Ｃ）は、実際賞球数と、判断賞球数と、判断賞球数の実際賞球数に対する誤差と、の関係を示す表であり、（Ａ）は、第１所定数が［１］の場合であり、（Ｂ）は、第１所定数が［２］の場合であり、（Ｃ）は、第１所定数が［３］の場合である。
【図５】（Ａ）乃至（Ｃ）は、実際賞球数と、判断賞球数と、判断賞球数の実際賞球数に対する誤差と、の関係を示す表であり、（Ａ）は、第１所定数が［４］の場合であり、（Ｂ）は、第１所定数が［５］の場合であり、（Ｃ）は、第１所定数が［６］の場合である。
【図６】（Ａ）乃至（Ｃ）は、実際賞球数と、判断賞球数と、判断賞球数の実際賞球数に対する誤差と、の関係を示す表であり、（Ａ）は、第１所定数が［７］の場合であり、（Ｂ）は、第１所定数が［８］の場合であり、（Ｃ）は、第１所定数が［９］の場合である。
【符号の説明】
【００３９】
１０    パチンコ機（遊技機）
１８    払出制御部（払出制御手段）
２０    払出装置（払出手段）
２２    賞球カウントスイッチ（払出検出手段）
２６    遊技球（遊技媒体）
２８    端子ユニット（外部出力手段）
３０    ホールコンピュータ（管理装置）
【図１】
2005177122.tif 000003
【図２】
2005177122.tif 000004
【図３】
2005177122.tif 000005
【図４】
2005177122.tif 000006
【図５】
2005177122.tif 000007
【図６】
2005177122.tif 000008